(57)【要約】【課題】  高枝にロープを簡単に掛けることができる装置を提供する。【解決手段】  回動部材４にロープ２０の先端を挿通し、回動部材４を枝３０に押し当てて回動部材４を回動させ、この回動変位に基いてロープ先端２０Ａを対向側に設けられたロープ挟持部材５に挟持させた状態で、装置を枝３０から引き離すことによりロープ掛けを行う。【選択図】      図１
0003105688.tif 000002
【実用新案登録請求の範囲】
【請求項１】
柱状部材にロープを掛ける装置であって、
ポールの先端に固定されたＵ字形状フレームと、
前記柱状部材を収容可能な湾曲部を有し、前記Ｕ字形状フレームの一端に回動可能に取付けられた回動部材と、
前記回動部材の一端に設けられたロープ挿通部と、
前記Ｕ字形状フレームの他端側に設けられ、前記回動部材の回動に伴って前記ロープの先端を受け入れると共にロープ先端を挟持するように変位するロープ挟持部材と、
を有し、前記回動部材の一端にロープを挿通した状態で前記柱状部材に前記湾曲部を押し当てて前記回動部材を回動させることにより前記ロープ先端を前記ロープ挟持部材に挟持させ、前記ポールを引き戻すことにより前記柱状部材にロープを引っ掛けるようにしたことを特徴とするロープ掛け装置。
【請求項２】
柱状部材にロープを掛ける装置であって、
ポールの先端に固定されたＵ字形状フレームと、
前記柱状部材を収容可能な湾曲部を有し、前記Ｕ字形状フレームの一端に回動可能に取付けられた回動部材と、
前記回動部材の一端に設けられたロープ挿通部と、
同じく回動部材の一端に設けられた前記挿通されたロープを係止する係止爪と、
前記Ｕ字形状フレームの他端側に設けられ、前記回動部材の回動に伴って前記ロープの先端を受け入れると共にロープ先端を挟持するように変位するロープ挟持部材と、
前記回動部材によって押されることにより前記ロープ挟持部材の開閉を駆動する開閉駆動部材と、
を有し、前記回動部材の一端にロープを挿通して前記係止爪で係止した状態で前記柱状部材に前記湾曲部を押し当てて前記回動部材を回動させることにより前記開閉駆動部材を動作させて前記ロープ先端を前記ロープ挟持部材に挟持させ、前記ポールを引き戻すことにより前記柱状部材にロープを引っ掛けるようにしたことを特徴とするロープ掛け装置。
【考案の詳細な説明】
【技術分野】
【０００１】
本考案は、高枝等の柱状部材にロープを掛け渡す装置に関する。
【背景技術】
【０００２】
リンゴ園等の果樹園においては、リンゴが大きくなることによって枝が垂れ下がったり、台風等の突風によって樹木が倒れるのを防ぐために枝にロープを引掛けて、ロープの下端を地上の杭に止めることにより樹木を補強するようにする作業が必要になる。
【考案の開示】
【考案が解決しようとする課題】
【０００３】
しかし、樹木が高くなり、この高枝にロープを掛けるのは困難である。
【０００４】
そこで本願考案は、地上から竿（ポール）を使って簡単にロープを掛けることができる装置を提供することを目的とする。
【課題を解決するための手段】
【０００５】
前記目的を達成するための請求項１の考案は、柱状部材にロープを掛ける装置であって、ポールの先端に固定されたＵ字形状フレームと、前記柱状部材を収容可能な湾曲部を有し、前記Ｕ字形状フレームの一端に回動可能に取付けられた回動部材と、前記回動部材の一端に設けられたロープ挿通部と、前記Ｕ字形状フレームの他端側に設けられ、前記回動部材の回動に伴って前記ロープの先端を受け入れると共にロープ先端を挟持するように変位するロープ挟持部材と、を有し、前記回動部材の一端にロープを挿通した状態で前記柱状部材に前記湾曲部を押し当てて前記回動部材を回動させることにより前記ロープ先端を前記ロープ挟持部材に挟持させ、前記ポールを引き戻すことにより前記柱状部材にロープを引っ掛けるようにしたことを特徴とするものである。
【０００６】
前記目的を達成するための請求項２の考案は、柱状部材にロープを掛ける装置であって、ポールの先端に固定されたＵ字形状フレームと、前記柱状部材を収容可能な湾曲部を有し、前記Ｕ字形状フレームの一端に回動可能に取付けられた回動部材と、前記回動部材の一端に設けられたロープ挿通部と、同じく回動部材の一端に設けられた前記挿通されたロープを係止する係止爪と、前記Ｕ字形状フレームの他端側に設けられ、前記回動部材の回動に伴って前記ロープの先端を受け入れると共にロープ先端を挟持するように変位するロープ挟持部材と、前記回動部材によって押されることにより前記ロープ挟持部材の開閉を駆動する開閉駆動部材と、を有し、前記回動部材の一端にロープを挿通して前記係止爪で係止した状態で前記柱状部材に前記湾曲部を押し当てて前記回動部材を回動させることにより前記開閉駆動部材を動作させて前記ロープ先端を前記ロープ挟持部材に挟持させ、前記ポールを引き戻すことにより前記柱状部材にロープを引っ掛けるようにしたことを特徴とするものである。
【考案の効果】
【０００７】
前記構成の考案によれば、ポールを把持して高枝に押し当て、その後引き戻すだけで簡単にロープを引掛けることができる。
【考案を実施するための最良の形態】
【０００８】
以下図面を参照して本考案の実施形態を説明する。
【０００９】
図１は本考案のロープ掛け装置の要部を示す斜視図である。
【００１０】
１は長尺のポール（竿）である。
【００１１】
２は前記ポール１の先端に取付けられた連結部であり、下端がポール先端への嵌合部２Ａとなっており、上端に連結台座（支持台）２Ｂが設けられている。
【００１２】
３は前記支持台２Ｂに支持されたＵ字形状フレームであり、このフレーム３は一端３Ａと他端３Ｂとによって構成されている。
【００１３】
４は前記フレーム３の一端３Ａに支軸１４を介して回動可能に軸支されるとともに、全体が柱状部材を収容可能な大きさの湾曲形状を有する回動部材である。この回動部材４の一端４Ａにはロープ２０の先端２０Ａが挿通される挿通孔４Ｄと、ロープ２０の先端２０Ａをガイドするガイドローラ４Ｃとが設けられている。この回動部材４の他端４Ｂにはロープ２０を案内するガイド溝４Ｅが形成されている。前記ガイドローラ４Ｃ及びガイド溝４Ｅは必須要素ではない。
【００１４】
また、この回動部材４の一端４Ａの内側にはロープ２０を係止するための係止爪１０が回動可能に取付けられており、この係止爪１０は、これに取付けられたスプリング１１によって付勢されている。この係止爪１０は反対側に設けられた係止駒１５の操作により係止方向に回動し、係止駒１５の摺動操作により、スプリング１１によって復帰するように動く。前記スプリング１１をクリック式とすれば、前記係止駒１５は不要となる。
【００１５】
５はロープ挟持部材であり、前記Ｕ字形状フレーム３の他端３Ｂに取付けられている。
【００１６】
ここで、図２を参照して挟持部材５の構成の詳細を説明する。この部材は回動軸５Ｆに支持された一対の片５Ａ，５Ｂによるクリップ構造となっており、下端に取付けられたねじりバネＳＰによって下部５Ｃ，５Ｃが開き、上端５Ａ，５Ｂが閉じるものであり、前記フレーム３の他端３Ｂに支持されているときの初期状態は図１に示すように、下部５Ｃが閉じられ、上端５Ａ，５Ｂが開いた状態となっている。この上端５Ａ，５Ｂの内側にはロープを強く挟持するための凹凸部１６，１７が設けられている。下端突起部５Ｄは後述する開閉駆動部材６の先端と係合する係合部である。
【００１７】
６は開閉駆動部材であり、一端側６Ａが前記Ｕ字形状フレーム３の一部に設けられた支軸１８によって先端６Ｂを回動可能に支持され、その先端６Ｂが前記ロープ挟持部材５の下端開閉部５Ｄを挟む位置と、回動することによってスプリング１３を押圧して下方に変位することにより前記係合部５Ｄから外れる位置との間を移動する変位部６Ｂとを有している。
【００１８】
ロープ２０は、下方から供給され、前記Ｕ字形状フレーム３の一端３Ａ下縁に設けられたフック１９に挿通され、上方に案内され、回動部材４の挿通部４Ｄを介して先端２０Ａが上方に引き出されるようになっている。
【００１９】
以上の各部材の材料はプラスチックが好ましいが、軽量かつ堅牢なものであればどんな材料であっても構わない。
【００２０】
次に図３乃至図６を参照して作用を説明する。
【００２１】
先ず、図３に示すようにロープ先端２０Ａを回動部材４のロープ挿通部４Ｄに挿通して係止駒１５を押圧して係止爪１０をスプリング１１に抗して変位させてロープ２０を係止させた状態で回動部材４の湾曲部４Ｆを枝３０に押し当ててポール１を押し上げる。
【００２２】
前記押し込みにより回動部材４が図４に示すように回動してロープ先端２０ＡがＵ字形状フレーム３の対向端部３Ｂのロープ挟持片５Ａ，５Ｂ間に配置された状態となる。
【００２３】
ポール１を更に押し込むことにより、図５に示すように、回動部材４により開閉駆動部材６がスプリング１３の力に抗して押され、変位部６Ｂが下方に変位して開閉部５Ｄを開放する。この結果ロープ挟持部材５が閉じてロープ先端２０Ａを強く挟み込む。
【００２４】
次にポール１を手元に引き戻すと、図６に示すように回動部材４が元の位置に戻り、更にポール１を引き戻して行くと、ロープ２０のみが枝３０に引っかかった状態で繰り出されて行く。
【００２５】
手元に戻った時点で、係止爪１０と挟持部５とを開放して元に戻すことにより、ロープ２０を装置から外すことができる。
【００２６】
この結果、高枝３０にロープ２０が周回された状態となるので、後の作業に進むことができる。
【００２７】
このような考案によれば、果樹園の高枝等に容易にロープを掛けることができ、産業上利用可能性がきわめて高いものといえる。
【図面の簡単な説明】
【００２８】
【図１】本考案の実施形態を説明するための斜視図である。
【図２】前記実施形態における一構成部材を説明するための概略図である。
【図３】前記実施形態の作用説明図である。
【図４】前記実施形態の作用説明図である。
【図５】前記実施形態の作用説明図である。
【図６】前記実施形態の作用説明図である。
【符号の説明】
【００２９】
１  ポール
２  連結部
３  Ｕ字形状フレーム
４  回動部材
５  ロープ挟持部材
６  開閉駆動部材
２０  ロープ
３０  枝
【図１】
0003105688.tif 000003
【図２】
0003105688.tif 000004
【図３】
0003105688.tif 000005
【図４】
0003105688.tif 000006
【図５】
0003105688.tif 000007
【図６】
0003105688.tif 000008